(57)【特許請求の範囲】
【請求項１】
一方の端部が所定の高さに回動自在に軸支されており、他方の端部に光ファイバを加傷する刃部を備えており、回動することにより前記刃部が円弧運動をして光ファイバを加傷する第１の部材と、 
前記第１の部材を軸支する部材と一体的に形成され、前記第１の部材の長手方向と直交するように前記光ファイバを載置する、少なくとも一部が可撓性を備える部材からなる光ファイバ搭載部と、
前記光ファイバ搭載部上を前記光ファイバの加傷位置から光ファイバの軸線方向にスライド移動可能なスライド部材であって、前記光ファイバの加傷位置にスライド移動したときに前記可撓性部材が撓まないように固定する固定部を備え、前記光ファイバの加傷位置から軸線方向にスライド移動したときに前記可撓性部材が撓むことができるように固定部を開放するスライド部材と、
前記スライド部材上に設けられ、前記スライド部材が前記光ファイバ搭載部の前記光ファイバの加傷位置にスライド移動したときに、前記光ファイバの加傷位置に配置されている硬質部材と
を備え、
前記第１部材は前記軸支位置が前記光ファイバの加傷位置とは異なる高さとなるよう軸支されており、前記スライド部材を前記加傷位置に移動させた状態で前記第１の部材を回動させることにより前記刃部を円弧状に移動させて前記光ファイバを加傷し、前記スライド部材を前記軸線方向にスライド移動させた後に前記可撓性部材を湾曲させて光ファイバを切断することを特徴とする光ファイバ切断器。
【請求項２】
前記刃部が円弧運動し、前記刃部が前記光ファイバを加傷する際に当たる力が適量となるように調整する調整部を設けたことを特徴とする請求項１に記載の光ファイバ切断器。
【請求項３】
前記光ファイバ搭載部に、光ファイバを把持する光ファイバ把持具を取り付ける溝部を備えていることを特徴とする請求項１または２に記載の光ファイバ切断器。
【請求項４】
前記光ファイバ搭載部に連接して、切断した一方の光ファイバを収容する収容部を備えていることを特徴とする請求項３に記載の光ファイバ切断器。
【請求項５】
前記収容部が前記光ファイバ搭載部から着脱可能であることを特徴とする請求項４に記載の光ファイバ切断器。
【請求項６】
前記光ファイバ搭載部が前記収容部と連結する連結部を備えていることを特徴とする請求項５に記載の光ファイバ切断器。
【請求項７】
前記連結部がスライドすることにより、前記光ファイバ搭載部から前記収容部を切り離し可能であることを特徴とする請求項６に記載の光ファイバ切断器。
【請求項８】
前記硬質部材は、硬度３以上の部材からなることを特徴とする請求項１に記載の光ファイバ切断器。
【請求項９】
前記硬質部材は、金属からなることを特徴とする請求項１に記載の光ファイバ切断器。
【請求項１０】
光ファイバを固定する少なくとも１つのファイバ押さえ部を備えることを特徴とする請求項請求項１乃至９のいずれか１項に記載の光ファイバ切断器。
【発明の詳細な説明】
【技術分野】
【０００１】
本発明は、光通信用の光ファイバ切断器に関し、特に、簡単な操作で精度の高い劈開面が得られる光ファイバ切断器に関する。
【背景技術】
【０００２】
光ファイバ切断器には高性能型と簡易型がある。簡易型は光ファイバを曲げ板に載置し、その端をクランプして切断位置に傷をつけ、曲げ板ごと光ファイバを湾曲させて劈開する構造で、良好な切断角度を得るには操作者に習熟が必要であるが、安価であることから広く使われている。
低い接続損失で光ファイバを接続するには、融着、コネクタ等で接続するメカニカルスプライスを問わず良好な光ファイバの切断端部（切断角度、断面粗さ等）で切断する必要がある。そのため、作業者の熟練によらず良好な切断端部が得られる高性能型が主流であった。
【０００３】
需要家まで光ファイバを敷設するFTTH（Fiber To The Home）の普及に伴い、融着機には電柱上や需要家等でハンディに扱える簡易タイプが現われたが、光ファイバ切断器は融着接続やメカニカルスプライス時の接続損失の要求レベルが高くなっており、主に高性能型が用いられていた。近年、光ファイバを敷設工事が増え、簡易型の光ファイバ切断器に対しても操作者の熟練に依らず良好な光ファイバの切断端部が得られることが求められるようになってきた。
【０００４】
特開昭６２−２３１２０３号公報には、従来の簡易型の光ファイバ切断器が開示されている。図１３は従来の光ファイバ切断器を示す斜視図である。図示しないが、光ファイバ心線は光ファイバ切断器の長手方向に沿って配置される。従来の光ファイバ切断器は、支持板１１２のブラケット１１２ａに軸支され図示しない光ファイバを押さえるクランプレバー１１４と、ブラケット１１２ａに軸支されバイトブロック１１６が取り付けられたバイトアーム１４６と、支持板１１２に取り付けられた引張曲げ応力付与手段１２０とを備えている。この光ファイバ切断器によって次の通り光ファイバ心線が切断される。
【０００５】
切断すべき部分が皮剥ぎによって露出された光ファイバを光ファイバ受け部材１３６の係入溝１５２に係入し、クランプレバー１１４をバネ１２６に抗して持ち上げて心線をクランプレバー１１４のゴム板１２４と支持板１１２のゴム板１２２との間に挟む。次いで、バイトアーム１４６をバネ１２８に抗して押し下げてバイトブロック１１６内のバイト（刃）を心線を介してゴム層１４２の上に押し付ける。これによって心線に切り込みが設けられ、次いで、光ファイバと共にファイバ受け部材１３６を支持軸１３２を中心にバネ１３８に抗して下向きに枢動させる。従って、心線はローラ１４０を支点として曲げが与えられて引張応力が与えられて心線が切断される。
その他、特開昭５７−０４５５０３号公報、実開昭６３−１３５３０３号公報等に、簡易型の光ファイバ切断器が開示されている。
【０００６】
【特許文献１】特開昭６２−２３１２０３号公報
【特許文献２】特開昭５７−０４５５０３号公報
【特許文献３】実開昭６３−１３５３０３号公報
【特許文献４】実開昭６２−０５７２０３号公報
【特許文献５】実開昭６３−１７４３０３号公報
【特許文献６】特開昭５９−０７４５０８号公報
【発明の開示】
【発明が解決しようとする課題】
【０００７】
上述したように、従来の光ファイバ切断器においては、光ファイバが切断器の長手方向にクランプされ、バイトアーム１４６が軸支されている軸１２５の遊びによってバイトブロック１１６内の刃が切断器の長手方向に動くので、刃によって光ファイバに傷を付ける場合に、刃が光ファイバ長手方向に滑るように移動することがあり、光ファイバ外周に傷をつけてしまう、または、加傷位置が定まらない等により、精度の高い劈開面を得ることが困難であるという問題点がある。更に、特に需要家で作業する際に切断されたファイバ屑が散乱するという問題点がある。
【０００８】
従って、この発明の目的は、従来の問題点を解決して、簡単な操作で精度の高い劈開面が得られる光ファイバ切断器を提供することにある。
【課題を解決するための手段】
【０００９】
本発明者は、上述した従来技術の問題点を解決すべく鋭意研究を重ねた。その結果、光ファイバの軸線と垂直方向に加傷すると、刃の遊び・撓みによって刃がファイバの長手方向に動く要素を排除することができ、切断角度他が良好なものが得られることが判明した。さらに、光ファイバの加傷位置と刃の円弧運動の中心軸との間の垂直方向の位置（即ち、高さ）が異なるようにすると、加傷に際して、第１の部材の長手方向に刃が移動する量が増えるので、所望の深さの傷を加えることができる。更に、加傷される光ファイバは硬質部材の上に載置されるので、ファイバの変形（特に、反り、逃げ）を防止して、極めて精度のよい加傷が可能であり、精度の高い劈開面が得られることが判明した。
【００１０】
この発明は、上記研究結果に基づいてなされたものであって、この発明の光ファイバ切断器の第１の態様は、一方の端部が所定の高さに回動自在に軸支されており、他方の端部に光ファイバを加傷する刃部を備えており、回動することにより前記刃部が円弧運動をして光ファイバを加傷する第１の部材と、
前記第１の部材を軸支する部材と一体的に形成され、前記第１の部材の長手方向と直交するように前記光ファイバを載置する、少なくとも一部が可撓性を備える部材からなる光ファイバ搭載部と、
前記光ファイバ搭載部上を前記光ファイバの加傷位置から光ファイバの軸線方向にスライド移動可能なスライド部材であって、前記光ファイバの加傷位置にスライド移動したときに前記可撓性部材が撓まないように固定する固定部を備え、前記光ファイバの加傷位置から軸線方向にスライド移動したときに前記可撓性部材が撓むことができるように固定部を開放するスライド部材と、
前記スライド部材上に設けられ、前記スライド部材が前記光ファイバ搭載部の前記光ファイバの加傷位置にスライド移動したときに、前記光ファイバの加傷位置に配置されている硬質部材と
を備え、
前記第１部材は前記軸支位置が前記光ファイバの加傷位置とは異なる高さとなるよう軸支されており、前記スライド部材を前記加傷位置に移動させた状態で前記第１の部材を回動させることにより前記刃部を円弧状に移動させて前記光ファイバを加傷し、前記スライド部材を前記軸線方向にスライド移動させた後に前記可撓性部材を湾曲させて光ファイバを切断することを特徴とする光ファイバ切断器である。
【００１１】
この発明の光ファイバ切断器の第２の態様は、前記刃部が円弧運動し、前記刃部が前記光ファイバを加傷する際に当たる力が適量となるように調整する調整部を設けたことを特徴とする光ファイバ切断器である。
【００１２】
この発明の光ファイバ切断器の第３の態様は、前記光ファイバ搭載部に、光ファイバを把持する光ファイバ把持具を取り付ける溝部を備えていることを特徴とする光ファイバ切断器である。
【００１３】
この発明の光ファイバ切断器の第４の態様は、前記光ファイバ搭載部に連接して、切断した一方の光ファイバを収容する収容部を備えていることを特徴とする光ファイバ切断器である。
【００１４】
この発明の光ファイバ切断器の第５の態様は、前記収容部が前記光ファイバ搭載部から着脱可能であることを特徴とする光ファイバ切断器である。
【００１５】
この発明の光ファイバ切断器の第６の態様は、前記光ファイバ搭載部が前記収容部と連結する連結部を備えていることを特徴とする光ファイバ切断器である。
【００１６】
この発明の光ファイバ切断器の第７の態様は、前記連結部がスライドすることにより、前記光ファイバ搭載部から前記収容部を切り離し可能であることを特徴とする光ファイバ切断器である。
【００１７】
この発明の光ファイバ切断器の第８の態様は、前記硬質部材は、硬度３以上の部材からなることを特徴とする記載の光ファイバ切断器である。
【００１８】
この発明の光ファイバ切断器の第９の態様は、前記硬質部材は、金属からなることを特徴とする光ファイバ切断器である。
【００１９】
この発明の光ファイバ切断器の第１０の態様は、光ファイバを固定する少なくとも１つのファイバ押さえ部を備えることを特徴とする光ファイバ切断器である。
【発明の効果】
【００２８】
この発明の光ファイバ切断器によると、光ファイバの加傷位置と刃部の円弧運動の中心軸との間の垂直方向の位置（即ち、高さ）が異なっているので、加傷に際して、第１の部材の長手方向に刃部が移動する量が増えるので、所望の深さの傷を加えることができ、光ファイバの軸線と垂直方向に加傷を行うので加傷位置のずれが小さくなる。更に、加傷される光ファイバは硬質部材の上に載置されるので、ファイバの変形（反り等）を防止して、極めて精度のよい加傷が可能であり、精度の高い劈開面が得られる。
【発明を実施するための最良の形態】
【００２９】
この発明の光ファイバ切断器を、図面を参照しながら詳細に説明する。
この発明の光ファイバ切断器は、一方の端部が所定の高さに回動自在に軸支され、光ファイバに傷を付ける刃部を備えた他方の端部が円弧運動をする第１の部材と、前記第１の部材を軸支する部材と一体的に形成され、前記第１の部材の長手方向に直交するように前記光ファイバを載置する、少なくとも一部が可撓性を備えた部材からなる光ファイバ搭載部とを備え、前記光ファイバの加傷位置と前記第１の部材の軸支位置が異なる高さに位置し、前記刃部が円弧状に移動して前記光ファイバに加傷し、前記可撓性を備えた部材を湾曲させて光ファイバを切断することを特徴とする光ファイバ切断器である。
【００３０】
図１は、この発明の光ファイバ切断器の１つの態様を示す斜視図である。図１に示すように、光ファイバ切断器１は、ピン４によってブラケット３に回動自在に軸支された第１の部材２、可撓性部材を備え光ファイバを置く図示しない溝部を設けた光ファイバ搭載部１０、光ファイバを押さえるファイバ押え部５、第１の部材２と同じ位置でブラケット３に軸支され先端にファイバ押え部５を備えたクランプレバー１５を備えている。さらに、切断された光ファイバの一方を収容する収容部を備えても良い。
【００３１】
さらに、スライド部材８が配置され、スライド部材８の上部には、硬質部材９を備えても良い。硬質部材９は、スライド部材８のスライドに伴って、光ファイバの長手方向にスライドする。なお、硬質部材９は、自身が所望の硬さで無い場合、上面に硬質な材料を載せても良い。
【００３２】
また、硬質部材９、又は、硬質な材料は硬度が３以上なら、何でも良く。例えば、エンジニアリングプラスチック等の樹脂系のものやＦＲＰ等の複合材、あるいは、セラミックや金属（鉄（少なくとも表面は塗料塗布や防錆処理することが望ましい）、アルミ合金（ジュラルミン他）、鉄系合金（ステンレス他）等）であって良い。
【００３３】
スライド部材８は光ファイバ搭載部１０が略水平状態のとき、硬質部材９が第１の部材２の一方の端部に設けられた刃部２４に対応するように位置する。光ファイバ６の被覆が剥がれて露出したファイバ７が光ファイバ搭載部１０の長手方向に沿って硬質部材９の上に配置され、露出したファイバ７はファイバ押え部５によって押えられている。クランプレバー１５をバネに抗して押し下げることによって、ファイバ押え部５が上方に持ち上げられ、クランプレバーを解放するとファイバ押え部５がファイバを光ファイバ搭載部１０に押し付ける。このように光ファイバ６、７は、第１の部材の長手方向に直交して配置されている。
【００３４】
ブラケット３に回動自在に軸支された第１の部材２の端部には、光ファイバ７に加傷する刃部２４が設けられている。刃部２４は図示しないバネによって所定の強さでファイバ７に加傷する。刃部２４は、光ファイバ７に概ね垂直方向に加傷する刃を備えている。この場合は、第１の部材２の長手方向に刃先が位置している。
【００３５】
光ファイバ７の加傷位置と第１の部材２の軸支位置が異なる高さに位置し、刃部２４が円弧状に移動して光ファイバ７に加傷する。従って、加傷に際して、第１の部材２の長手方向に刃が移動する量が増えるので、所望の深さの傷を加えることができる。
【００３６】
光ファイバ７に加傷後、スライド部材８を光ファイバ搭載部１０の長手方向に沿って収容部の方向にスライドさせると、硬質部材９が移動し、光ファイバ搭載部１０の固定が解かれて、光ファイバ搭載部１０の下方への移動に伴なって湾曲して、加傷部分において、露出した光ファイバ６が切断される。切断されたファイバの一方の端部は収容部に収容される。
【００３７】
図２は、この発明の光ファイバ切断器の１つの態様を示す斜視図である。図２に示すように、光ファイバ切断器１は、ピン４によってブラケット３に回動自在に軸支された第１の部材２、可撓性部材１８を備え、光ファイバ把持具１１が収容される溝部１７を設けた光ファイバ搭載部１０、光ファイバ７を押さえるファイバ押え部５、第１の部材２と同じ位置でブラケット３に軸支され先端にファイバ押え部５を備えたクランプレバー１５、切断された光ファイバ７の一方を収容する収容部１６を備えている。光ファイバ搭載部１０には、光ファイバ６を把持する光ファイバ把持具１１が図示しない溝部に収納されている。可撓性部材１８を挟むように、スライド部材８が配置され、スライド部材８の上部には、硬質部材９が備えられている。硬質部材９は、スライド部材８のスライドに伴って、可撓性部材１８の上をスライドする。
【００３８】
スライド部材８が光ファイバ搭載部１０を固定した状態のとき、硬質部材９が第１の部材２の一方の端部に設けられた刃部２４に対応するように位置する。光ファイバ把持具１１に把持された光ファイバ６の被覆が剥がれて露出したファイバ７が光ファイバ搭載部１０の長手方向に沿って硬質部材９、可撓性部材１８の上に配置され、先端部が収容部１６内に位置する。露出したファイバ７は、収容部１６の手前でファイバ押え部５によって押えられている。クランプレバー１５をバネに抗して押し下げることによって、ファイバ押え部５が上方に持ち上げられ、クランプレバー１５を解放するとファイバ押え部５がファイバを光ファイバ搭載部１０上に押し付ける。このように光ファイバ６、７は、第１の部材の長手方向に直交して配置されている。
【００３９】
ブラケット３に回動自在に軸支された第１の部材２の端部には、光ファイバ７に加傷する刃部２４が設けられている。刃部２４は図示しないバネによって所定の強さでファイバに加傷する。刃部２４は、光ファイバ７に概ね垂直方向に加傷する刃を備えている。この場合は、第１の部材の長手方向に刃先が位置している。
【００４０】
光ファイバ搭載部１０の一方の端部には連結部材が備えられ、連結先端部２２が収容部１６の受入部２３に挿入されて、光ファイバ搭載部１０に収容部１６が取り付けられる。収容部１６は光ファイバ搭載部１０から取り外しが可能である。
光ファイバ６の加傷位置と第１の部材２の軸支位置が異なる高さに位置し、刃部２４が円弧状に移動して光ファイバ７に加傷する。従って、加傷に際して、第１の部材２の長手方向に刃が移動する量が増えるので、所望の深さの傷を加えることができる。
【００４１】
後述するように、光ファイバ７に加傷後、スライド部材８を光ファイバ搭載部１０の長手方向に沿って収容部１６の方向にスライドさせると、硬質部材９が移動し、光ファイバ搭載部１０の固定が解かれて、可撓性部材１８が光ファイバ搭載部１０の下方への移動に伴なって湾曲して、加傷部分において、露出した光ファイバ７が切断される。切断された光ファイバ７の一方の端部は収容部１６に収容される。
【００４２】
また、可撓性部材１８と光ファイバ搭載部１０は別体のものであって、ネジ等で機械的に、あるいは接着剤等で接合されるものであってよい。または、可撓性部材１８と光ファイバ搭載部１０は同一部材であってよく、例えば、一体成型、削りだし等によって成されるものである。
【００４３】
図３は、光ファイバ把持具１１の詳細を示す図である。図３（ａ）は蓋部１３を解放した状態を示す図である。図３（ｂ）は蓋部１３を閉じた状態を示す図である。図３（ａ）、（ｂ）に示すように、本体１２の中央部にはその長手方向に沿って、被覆された光ファイバを収容するファイバ収容溝１４が設けられている。ファイバ収容溝１４に光ファイバが収容された状態で蓋部１３を閉じる。蓋部１３の裏面、本体１２の表面の相互に対応する部分に例えば磁石部材を備えていると、ファイバの安定的な把持が可能になる。ファイバ収容溝１４に光ファイバが収容され、蓋部１３が閉じられた状態で、図２に示すように、光ファイバ搭載部１０の溝部１７に収納される。
【００４４】
また、光ファイバ把持具１１は単心用と、多心用とにそれぞれの光ファイバを把持するものでも良く。または、単心と多心とを共用に把持できるものであってもよい。
【００４５】
更に、融着作業へスムーズに移れるように、光ファイバ把持具１１は光ファイバ切断五に光ファイバ搭載部１０から外した後、図示しない光ファイバ融着機の所定位置へ光ファイバ把持具１１が着脱できるようになっていてよい。
【００４６】
図４は、この発明の１つの態様の光ファイバ切断器の分解図である。図４に示すように、この態様では、ブラケット３と光ファイバ搭載部１０が一体的に形成されている。光ファイバ搭載部１０には、光ファイバ把持具１１が収容される溝部１７が設けられている。溝部１７が設けられた光ファイバ搭載部１０は、長手方向に伸びる可撓性部材１８を備えている。光ファイバ搭載部１０の他端部には、収納部１６と連結する連結部２５および連結先端部２２を備えている。可撓性部材１８を上下から挟み込むように、固定部３０を備えたスライド部材８が下側から、硬質部材９が上側から取り付けられる。
【００４７】
硬質部材９の両側の脚部がそれぞれスライド部材８に形成された対応する凹部に挿入される。先端にファイバ押え部５を備え、他端部近傍にバネを備えたクランプレバー１５がピン４によってブラケット３の孔部４'に回動自在に軸支される。更に、クランプレバー１５の上に、端部に刃部２４を備え、バネを備えた第１の部材２の他方の端部が同様に、ブラケット３の孔部に回動自在に軸支される。第１の部材２は、その先端部に設けられた刃部２４が、軸を支点として、バネに抗して円弧運動を行うことができる。連結先端部２２には切断された光ファイバを収容する収容部１６が着脱可能に取り付けられる。
【００４８】
図５は、図４における刃部２４を拡大して説明するための図であり、図５（Ａ）は刃と第１の部材２が直接固定されるものである。図５（Ｂ）は刃と第１の部材２の間に前記光ファイバ７を加傷する際に当る力が適量となるように調整部（図ではバネ）を設けたものである。また、バネの他にゴム等の弾性体やガス圧式シリンダ等であってよい。
さらに、調整部では、バネの位置が変更でき、バネ力の調整やバネ及び／又は刃の交換が可能である。
また、刃は光ファイバ７より硬いものであればよく、金属や鉱物（例えば、サファイアや人工石等）、または、セラミック、あるいは、刃先が表面処理（例えば、ダイヤモンド粉付着）されたもの等がある。
また、図５（Ｃ）に示すように、刃先は円弧状とすれば、さらに円滑に加傷できる、または、多心（リボン型）に対しても各光ファイバ７間を円滑に移動可能、等のメリットがある。
【００４９】
図６は、この発明の光ファイバ切断器における光ファイバ搭載部１０が固定された状態を説明する斜視図である。図８は、光ファイバ切断器における光ファイバ搭載部１０が固定された状態を説明する側面図である。
図６に示すように、光ファイバ搭載部１０の溝部１７に光ファイバ把持具１１が収納され、露出した光ファイバ７が硬質部材９および可撓性部材１８の上に、光ファイバ搭載部１０の長手方向に沿って載置されている。第１の部材２は、バネの力によってその先端部が上方に持ち上げられた状態に位置している。刃部２４は、刃先が載置された露出光ファイバ７に垂直方向になるように位置している。硬質部材９は、第１の部材２の刃部２４に対応するように位置している。即ち、スライド部材８は、光ファイバ搭載部１０の光ファイバ把持具１１側に位置している。この状態を、図８を参照しながら更に説明する。図８に示すように、スライド部材８の固定部３０は、光ファイバ把持具１１が収納された光ファイバ搭載部１０の先端部の下側に位置して、光ファイバ搭載部１０を支持・固定している。
【００５０】
即ち、この状態で光ファイバ搭載部１０の一端側（図の右方）を下方に押しても、光ファイバ搭載部１０は、上述した固定部３０によって支持されているので、下方に移動しない。このようにスライド部材８の固定部３０によって光ファイバ搭載部１０が固定された状態で、第１の部材２の先端部に位置する刃部２４が円弧運動を行って、硬質部材９の上に載置された露出した光ファイバ７に所要の強さで加傷する。硬質部材９の上に載置された状態で刃部２４が円弧運動を行いながら加傷するので、刃がファイバに接する際に遊び、撓みによって刃がファイバの長手方向に動く要素が排除され、切断角度の分布を小さくすることができる。なお、光ファイバ７は被覆された一方の側が光ファイバ把持具１１によって固定され、露出した他方の側がファイバ押え部５によって押えられて固定されている。
【００５１】
図７は、この発明の光ファイバ切断器における光ファイバ搭載部１０が固定から解放され、可撓性部材１８が湾曲される状態を説明する斜視図である。図９は、光ファイバ切断器における光ファイバ搭載部１０の固定が解放された状態を説明する側面図である。
【００５２】
図９に示すように、スライド部材８が収容部１６側に移動すると、スライド部材８の固定部３０は、光ファイバ把持具１１が収納された光ファイバ搭載部１０の先端部の下側から離れて位置し、光ファイバ搭載部１０の下側を開放する。即ち、この状態で光ファイバ搭載部１０の一端側（図の右方）を矢印に示すように下方に押すと、光ファイバ搭載部１０の下側部は解放されているので、矢印に示す方向への移動が容易になる。露出した光ファイバ６への加傷が終了すると、第１の部材２はバネの力によって上方に移動する。
【００５３】
図７に示すように、スライド部材８が収容部１６側に移動すると、上述したようにスライド部材８の固定部が光ファイバ搭載部１０の下側から開放されるので、光ファイバ把持具１１が収納された光ファイバ搭載部１０を下方に押すと、可撓性部材１８において湾曲される。この湾曲によって露出したファイバに曲げ応力が加わり、光ファイバ６が切断される。
上述したように、この発明の光ファイバ切断器によると、光ファイバ７の加傷位置と刃の円弧運動の中心軸との間の垂直方向の位置（即ち、高さ）が異なっているので、加傷に際して、第１の部材２の長手方向に刃が移動する量が増えるので、所望の深さの傷を加えることができ、光ファイバ７の軸線と垂直方向に加傷を行うので切断角度の分布が小さくなる。更に、加傷される光ファイバ７は硬質部材９の上に載置されるので、ファイバの変形（反り等）を防止して、極めて精度のよい加傷が可能であり、精度の高い劈開面が得られる。
【００５４】
図１０は、この発明の光ファイバ切断器の別の態様を示す斜視図である。
図１０に示すように、光ファイバ切断器は、ピン４によってブラケット３に回動自在に軸支された第１の部材２、押しボタン式押し枕２８を備えた光ファイバ搭載部２６、光ファイバ７を押さえるファイバ押え部５、第１の部材２と同じ位置でブラケット３に軸支され先端にファイバ押え部５を備えたクランプレバー１５、切断された光ファイバ７の一方を収容する収容部１６を備えている。光ファイバ搭載部２６には、光ファイバ６を把持する光ファイバ把持具１１が図示しない溝部に収納されている。押し枕の上面部には、直交する凹部が設けられており、刃部２４に対応する凹部と直交する凹部に露出した光ファイバ７が載置される。この凹部を設けることによって、ファイバおよび刃のズレをよりズレを少なくすることができる。
なお、上述した凹部は無くても良い。
【００５５】
この態様の光ファイバ切断器においては、図６から図９を参照して説明した態様のように、光ファイバ搭載部が下方向に移動し、可撓性部材１８において湾曲することはない。即ち、光ファイバ搭載部には可撓性部材を備えておらず、スライド部材も備えていない。
【００５６】
この態様の光ファイバ切断器においては、光ファイバ把持具１１に把持された光ファイバ６の被覆が剥がれて露出したファイバ７が光ファイバ搭載部１０の長手方向に沿って、押し枕の凹部に載置される。露出された光ファイバ７は、この状態で、ファイバ押え部５によって両側から押えられる。押し枕の上端部が硬質部材９で形成されていると、加傷される光ファイバ７は硬質部材９の上に載置されるので、ファイバの変形（反り等）を防止することができる。
【００５７】
クランプレバー１５をバネに抗して押し下げることによって、ファイバ押え部５が上方に持ち上げられ、クランプレバー１５を解放するとファイバ押え部５がファイバを光ファイバ搭載部１０上に押し付ける。このように光ファイバ６、７は、第１の部材の長手方向に直交して配置されている。
【００５８】
ブラケット３に回動自在に軸支された第１の部材２の端部には、光ファイバ７に加傷する刃部２４が設けられている。刃部２４は図示しないバネによって所定の強さでファイバに加傷する。刃部２４は、光ファイバ７に概ね垂直方向に加傷する刃を備えている。この場合は、第１の部材２の長手方向に刃先が位置している。
光ファイバ搭載部１０の一方の端部には連結部材が備えられ、連結先端部２２が収容部１６の受入部２３に挿入されて、光ファイバ搭載部１０に収容部１６が取り付けられる。収容部１６は光ファイバ搭載部１０から取り外しが可能である。
【００５９】
刃によって、露出した光ファイバ７に加傷後、押しボタン式押し枕の押しボタンを押すと、加傷された光ファイバ７に上方に曲げ応力が加わり、光ファイバ７が切断される。
【００６０】
図１１は、押しボタン式押し枕２８を説明する図である。図１１に示すように、押し枕２８の上端部には相互に直交する凹部が設けられている。一方の凹部には露出した光ファイバが載置され、他方の凹部を、刃が円弧を描きながら光ファイバに加傷して移動する。押し枕２８が光ファイバ搭載部１０の所望の高さに位置するようにｈの大きさが設定され、光ファイバに所望の曲げ応力を付与するようにバネの力が設定される。
なお、上述した態様においては、ファイバ押え部は、一方に設けられているが、両方に設けてもよく、あるいは、２箇所以上で固定するように設けてもよい。また、少なくとも融着する光ファイバ側を押えるファイバ押え部の所定部には、光ファイバにできるだけ傷をつけないように弾性体を付けることが望ましい。
また、収容部を有しない様態でもよい。
【００６１】
図１２は、屈曲部にて折れ曲がる方式を説明する図である。図１２に示すように、収納部１６と連結する連結部２５と光ファイバ搭載部１０が屈曲部３３にて連結されている。図１２（Ａ）に示すように、光ファイバを載せ、クランプレバー１５操作により光ファイバをファイバ押え部５で固定し、第１の部材２を操作すると刃が円弧を描きながら光ファイバ６に加傷して移動する。その後、図１２（Ｂ）に示すように、スライド部材８を収納部１６側に移動させ、光ファイバ搭載部１０を下方に動かす（屈曲させる）と光ファイバに所望の曲げ応力が加わり、加傷位置を起点として光ファイバが切断される。
さらに、上述した態様に加え、光ファイバ搭載部１０を屈曲させる際に、光ファイバの加傷側と反対側から、押し枕がせり出してきて光ファイバに所望の曲げ応力を付与して切断するようにしてもよい。
なお、上述した態様においては、ファイバ押え部５は、一方に設けられているが、両側に設けてもよい。
また、収容部を有しない様態でもよい。
【産業上の利用可能性】
【００６２】
この発明によると、簡単な操作で精度の高い劈開面が得られる光ファイバ切断器を提供することができ、産業上利用価値が高い。
【図面の簡単な説明】
【００６３】
【図１】図１は、この発明の光ファイバ切断器の１つの態様を示す斜視図である。
【図２】図２は、この発明の光ファイバ切断器の別の態様を示す斜視図である。
【図３】図３は、光ファイバ把持具の詳細を示す図である。
【図４】図４は、この発明の１つの態様の光ファイバ切断器の分解図である。
【図５】図５は、図４における刃部を拡大して説明するための図である。
【図６】図６は、この発明の光ファイバ切断器における光ファイバ搭載部が固定された状態を説明する斜視図である。
【図７】図７は、この発明の光ファイバ切断器における光ファイバ搭載部が固定から解放され、可撓性部材が湾曲される状態を説明する斜視図である。
【図８】図８は、光ファイバ切断器における光ファイバ搭載部が固定された状態を説明する側面図である。
【図９】図９は、光ファイバ切断器における光ファイバ搭載部の固定が解放された状態を説明する側面図である。
【図１０】図１０は、この発明の光ファイバ切断器の別の態様を示す斜視図である。
【図１１】図１１は、押しボタン式押し枕を説明する図である。
【図１２】図１２は、この発明の光ファイバ切断器の別の態様を示す斜視図である。
【図１３】図１３は、従来の光ファイバ切断器を示す斜視図である。
【符号の説明】
【００６４】
１．光ファイバ切断器
２．第１の部材
３．ブラケット
４．ピン
５．ファイバ押え部
６．光ファイバ
７．露出ファイバ
８．スライド部材
９．硬質部材
１０．光ファイバ搭載部
１１．光ファイバ把持具
１２．本体
１３．蓋部
１４．ファイバ収容溝
１５．クランプレバー
１６．収容部
１８．可撓性部材
２２．連結先端部
２３．受入部
２４．刃部
２５．連結部
２６．光ファイバ搭載部
２７．押しボタン
２８．押し枕
３０．固定部
３１、３２．凹部
３３．屈曲部
【図１】
0004057553.tif 000002
【図２】
0004057553.tif 000003
【図３】
0004057553.tif 000004
【図４】
0004057553.tif 000005
【図５】
0004057553.tif 000006
【図６】
0004057553.tif 000007
【図７】
0004057553.tif 000008
【図８】
0004057553.tif 000009
【図９】
0004057553.tif 000010
【図１０】
0004057553.tif 000011
【図１１】
0004057553.tif 000012
【図１２】
0004057553.tif 000013
【図１３】
0004057553.tif 000014